【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】  先端部に先端に向かって縮径する縮径部を備え、基端での操作を先端に伝達し得る可撓性を有するコアワイヤと、
前記コアワイヤの表面に設けられ、前記コアワイヤの表面に弾力性および可撓性を付与する被覆層と、
前記コアワイヤの先端部に設けられ、柔軟性と弾力性とを有し、管腔内の標的部位に放射線を照射するための放射線源を備える放射線投与手段と、
樹脂材料で構成され、前記放射線投与手段を封入するチューブ体とを備え、
前記チューブ体の基端が前記被覆層に接合されており、当該放射線投与ワイヤの外表面が平滑で連続性を有することを特徴とする放射線投与ワイヤ。
【請求項２】  前記チューブ体と前記コアワイヤとの間の空間に充填され、前記放射線投与手段と前記コアワイヤとを固定する固定部材を備える請求項１に記載の放射線投与ワイヤ。
【請求項３】  前記放射線源は、放射性物質を柔軟なゴム材料または柔軟な樹脂材料中に分散させてなること、あるいは、柔軟なゴム材料または柔軟な樹脂材料からなる多孔質部材に含浸させてなる請求項１または２に記載の放射線投与ワイヤ。
【請求項４】  先端部に先端に向かって縮径する縮径部を備え、基端での操作を先端に伝達し得る可撓性を有するコアワイヤと、
前記コアワイヤの先端部に設けられ、柔軟性と弾力性とを有し、管腔内の標的部位に放射線を照射するための放射線源を備える放射線投与手段と、
樹脂材料で構成され、前記放射線投与手段を封入するチューブ体と、
前記チューブ体と前記コアワイヤとの間の空間に充填され、前記放射線投与手段と前記コアワイヤとを固定する固定部材とを備えることを特徴とする放射線投与ワイヤ。
【請求項５】  前記放射線源は、放射性物質を柔軟なゴム材料または柔軟な樹脂材料中に分散させてなること、あるいは、柔軟なゴム材料または柔軟な樹脂材料からなる多孔質部材に含浸させてなる請求項４に記載の放射線投与ワイヤ。
【請求項６】  前記コアワイヤの表面に設けられ、前記コアワイヤの表面に弾力性および可撓性を付与する被覆層を備える請求項４または５に記載の放射線投与ワイヤ。
【請求項７】  前記放射線投与手段は、前記縮径部に設けられている請求項１ないし６のいずれかに記載の放射線投与ワイヤ。
【請求項８】  前記放射線投与手段は、前記放射線源の位置を検知するための放射線源検知手段を備える請求項１ないし７のいずれかに記載の放射線投与ワイヤ。
【請求項９】  前記チューブ体の少なくとも一端は、閉塞している請求項１ないし８のいずれかに記載の放射線投与ワイヤ。
【請求項１０】  前記チューブ体の少なくとも一端は、前記放射線源検知手段により閉塞されている請求項８または９に記載の放射線投与ワイヤ。
【請求項１１】  前記放射線源は、粉体状である請求項１ないし１０のいずれかに記載の放射線投与ワイヤ。
【請求項１２】  可撓性を有するコアワイヤと、
前記コアワイヤの先端部に設けられ、管腔内の標的部位に放射線を照射するための放射線源を備える放射線投与手段とを備え、
前記放射線源は、放射性物質を柔軟なゴム材料または柔軟な樹脂材料中に分散させてなること、あるいは、柔軟なゴム材料または柔軟な樹脂材料からなる多孔質部材に含浸させてなることを特徴とする放射線投与ワイヤ。
【請求項１３】  前記コアワイヤは、その先端部に先端に向かって縮径する縮径部を備える請求項１２に記載の放射線投与ワイヤ。
【請求項１４】  前記放射線投与手段は、前記縮径部に設けられている請求項１３に記載の放射線投与ワイヤ。
【請求項１５】  前記コアワイヤの表面に設けられ、前記コアワイヤの表面に弾力性および可撓性を付与する被覆層を備える請求項１２ないし１４のいずれかに記載の放射線投与ワイヤ。
【請求項１６】  前記放射線投与手段は、チューブ体に封入されている請求項１２ないし１５のいずれかに記載の放射線投与ワイヤ。
【請求項１７】  前記チューブ体の少なくとも一端は、閉塞している請求項１６に記載の放射線投与ワイヤ。
【請求項１８】  前記放射線投与手段は、前記放射線源の位置を検知するための放射線源検知手段を備え、
前記チューブ体の少なくとも一端は、前記放射線源検知手段により閉塞されている請求項１６または１７に記載の放射線投与ワイヤ。
【請求項１９】  前記チューブ体は、樹脂材料で構成されている請求項１６ないし１８のいずれかに記載の放射線投与ワイヤ。
【請求項２０】  前記放射線投与手段は、前記放射線源の位置を検知するための放射線源検知手段を備える請求項１２ないし１９のいずれかに記載の放射線投与ワイヤ。
【請求項２１】  前記放射線源は、β線を放出する放射性同位元素を含むものである請求項１ないし２０のいずれかに記載の放射線投与ワイヤ。
【請求項２２】  前記放射線投与手段は、前記コアワイヤの先端と嵌合可能な嵌合部を有する請求項１ないし２１のいずれかに記載の放射線投与ワイヤ。
【手続補正２】
【補正対象書類名】明細書
【補正対象項目名】０００５
【補正方法】変更
【補正の内容】
【０００５】
【課題を解決するための手段】
このような目的は、下記（１）〜（２２）の本発明により達成される。
【手続補正３】
【補正対象書類名】明細書
【補正対象項目名】０００６
【補正方法】変更
【補正の内容】
【０００６】
（１）  先端部に先端に向かって縮径する縮径部を備え、基端での操作を先端に伝達し得る可撓性を有するコアワイヤと、
前記コアワイヤの表面に設けられ、前記コアワイヤの表面に弾力性および可撓性を付与する被覆層と、
前記コアワイヤの先端部に設けられ、柔軟性と弾力性とを有し、管腔内の標的部位に放射線を照射するための放射線源を備える放射線投与手段と、
樹脂材料で構成され、前記放射線投与手段を封入するチューブ体とを備え、
前記チューブ体の基端が前記被覆層に接合されており、当該放射線投与ワイヤの外表面が平滑で連続性を有することを特徴とする放射線投与ワイヤ。
【手続補正４】
【補正対象書類名】明細書
【補正対象項目名】０００７
【補正方法】変更
【補正の内容】
【０００７】
（２）  前記チューブ体と前記コアワイヤとの間の空間に充填され、前記放射線投与手段と前記コアワイヤとを固定する固定部材を備える上記（１）に記載の放射線投与ワイヤ。
（３）  前記放射線源は、放射性物質を柔軟なゴム材料または柔軟な樹脂材料中に分散させてなること、あるいは、柔軟なゴム材料または柔軟な樹脂材料からなる多孔質部材に含浸させてなる上記（１）または（２）に記載の放射線投与ワイヤ。
【手続補正５】
【補正対象書類名】明細書
【補正対象項目名】０００８
【補正方法】変更
【補正の内容】
【０００８】
（４）  先端部に先端に向かって縮径する縮径部を備え、基端での操作を先端に伝達し得る可撓性を有するコアワイヤと、
前記コアワイヤの先端部に設けられ、柔軟性と弾力性とを有し、管腔内の標的部位に放射線を照射するための放射線源を備える放射線投与手段と、
樹脂材料で構成され、前記放射線投与手段を封入するチューブ体と、
前記チューブ体と前記コアワイヤとの間の空間に充填され、前記放射線投与手段と前記コアワイヤとを固定する固定部材とを備えることを特徴とする放射線投与ワイヤ。
【手続補正６】
【補正対象書類名】明細書
【補正対象項目名】０００９
【補正方法】変更
【補正の内容】
【０００９】
（５）  前記放射線源は、放射性物質を柔軟なゴム材料または柔軟な樹脂材料中に分散させてなること、あるいは、柔軟なゴム材料または柔軟な樹脂材料からなる多孔質部材に含浸させてなる上記（４）に記載の放射線投与ワイヤ。
（６）  前記コアワイヤの表面に設けられ、前記コアワイヤの表面に弾力性および可撓性を付与する被覆層を備える上記（４）または（５）に記載の放射線投与ワイヤ。
【手続補正７】
【補正対象書類名】明細書
【補正対象項目名】００１０
【補正方法】変更
【補正の内容】
【００１０】
（７）  前記放射線投与手段は、前記縮径部に設けられている上記（１）ないし（６）のいずれかに記載の放射線投与ワイヤ。
（８）  前記放射線投与手段は、前記放射線源の位置を検知するための放射線源検知手段を備える上記（１）ないし（７）のいずれかに記載の放射線投与ワイヤ。
【手続補正８】
【補正対象書類名】明細書
【補正対象項目名】００１１
【補正方法】変更
【補正の内容】
【００１１】
（９）  前記チューブ体の少なくとも一端は、閉塞している上記（１）ないし（８）のいずれかに記載の放射線投与ワイヤ。
（１０）  前記チューブ体の少なくとも一端は、前記放射線源検知手段により閉塞されている上記（８）または（９）に記載の放射線投与ワイヤ。
（１１）  前記放射線源は、粉体状である上記（１）ないし（１０）のいずれかに記載の放射線投与ワイヤ。
【手続補正９】
【補正対象書類名】明細書
【補正対象項目名】００１２
【補正方法】変更
【補正の内容】
【００１２】
（１２）  可撓性を有するコアワイヤと、
前記コアワイヤの先端部に設けられ、管腔内の標的部位に放射線を照射するための放射線源を備える放射線投与手段とを備え、
前記放射線源は、放射性物質を柔軟なゴム材料または柔軟な樹脂材料中に分散させてなること、あるいは、柔軟なゴム材料または柔軟な樹脂材料からなる多孔質部材に含浸させてなることを特徴とする放射線投与ワイヤ。
【手続補正１０】
【補正対象書類名】明細書
【補正対象項目名】００１３
【補正方法】変更
【補正の内容】
【００１３】
（１３）  前記コアワイヤは、その先端部に先端に向かって縮径する縮径部を備える上記（１２）に記載の放射線投与ワイヤ。
（１４）  前記放射線投与手段は、前記縮径部に設けられている上記（１３）に記載の放射線投与ワイヤ。
【手続補正１１】
【補正対象書類名】明細書
【補正対象項目名】００１４
【補正方法】変更
【補正の内容】
【００１４】
（１５）  前記コアワイヤの表面に設けられ、前記コアワイヤの表面に弾力性および可撓性を付与する被覆層を備える上記（１２）ないし（１４）のいずれかに記載の放射線投与ワイヤ。
（１６）  前記放射線投与手段は、チューブ体に封入されている上記（１２）ないし（１５）のいずれかに記載の放射線投与ワイヤ。
（１７）  前記チューブ体の少なくとも一端は、閉塞している上記（１６）に記載の放射線投与ワイヤ。
【手続補正１２】
【補正対象書類名】明細書
【補正対象項目名】００１５
【補正方法】変更
【補正の内容】
【００１５】
（１８）  前記放射線投与手段は、前記放射線源の位置を検知するための放射線源検知手段を備え、
前記チューブ体の少なくとも一端は、前記放射線源検知手段により閉塞されている上記（１６）または（１７）に記載の放射線投与ワイヤ。
（１９）  前記チューブ体は、樹脂材料で構成されている上記（１６）ないし（１８）のいずれかに記載の放射線投与ワイヤ。
（２０）  前記放射線投与手段は、前記放射線源の位置を検知するための放射線源検知手段を備える上記（１２）ないし（１９）のいずれかに記載の放射線投与ワイヤ。
【手続補正１３】
【補正対象書類名】明細書
【補正対象項目名】００１６
【補正方法】変更
【補正の内容】
【００１６】
（２１）  前記放射線源は、β線を放出する放射性同位元素を含むものである上記（１）ないし（２０）のいずれかに記載の放射線投与ワイヤ。
（２２）  前記放射線投与手段は、前記コアワイヤの先端と嵌合可能な嵌合部を有する上記（１）ないし（２１）のいずれかに記載の放射線投与ワイヤ。